(57)【要約】【課題】  外部接続のテンキーボードによる入力状態がノート型パソコンにおける全角又は半角の入力状態に従属している点。【解決手段】  テンキーボードの全角又は半角の入力状態と前記ノート型パソコンの全角又は半角の入力状態との一致又は不一致を検知する第１ステップと、前記入力状態が不一致である場合には前記ノート型パソコンの入力状態の情報を保存し、一時的に前記ノート型パソコンの入力状態を前記テンキーボードの入力状態に変更して文字入力した後、前記ノート型パソコンの入力状態を前記保存した全角又は半角の入力状態に復帰させる第２ステップとを有することを特徴とした文字入力方法。【選択図】図１
2005085030.tif 000002
【特許請求の範囲】
【請求項１】
ノート型パソコンに外部接続したテンキーボードによる文字入力方法であって、
前記テンキーボードの全角又は半角の入力状態と前記ノート型パソコンの全角又は半角の入力状態との一致又は不一致を検知する第１ステップと、
前記入力状態が一致する場合には前記ノート型パソコンの入力状態により文字入力し、
前記入力状態が不一致である場合には、一時的に前記ノート型パソコンの入力状態を前記テンキーボードの入力状態に変更して文字入力した後、
前記ノート型パソコンの入力状態を元の入力状態に復帰させる第２ステップと、
を有することを特徴とした、
文字入力方法。
【請求項２】
ノート型パソコンに外部接続するテンキーボードであって、
テンキーの押し下げを検知することにより、前記テンキーボードの全角又は半角の入力状態と前記ノート型パソコンの全角又は半角の入力状態との一致又は不一致を検知する第１手段と、
前記入力状態が一致する場合には前記ノート型パソコンの入力状態により文字入力し、
前記入力状態が不一致である場合には、一時的に前記ノート型パソコンの入力状態を前記テンキーボードの入力状態に変更して文字入力した後、
前記ノート型パソコンの入力状態を元の入力状態に復帰させる第２手段と、
を有することを特徴とする、
テンキーボード。
【請求項３】
テンキーボードの入力状態を全角又は半角の何れかの入力状態に切り換えるスイッチを有することを特徴とする前記請求項２に記載のテンキーボード。
【請求項４】
ノート型パソコンに外部接続したテンキーボードによる文字入力を実行するプログラムであって、
前記テンキーボードの全角又は半角の入力状態と前記ノート型パソコンの全角又は半角の入力状態との一致又は不一致を検知する第１手段と、
前記入力状態が一致する場合には前記ノート型パソコンの入力状態により文字入力し、
前記入力状態が不一致である場合には、一時的に前記ノート型パソコンの入力状態を前記テンキーボードの入力状態に変更して文字入力した後、
前記ノート型パソコンの入力状態を元の入力状態に復帰させる第２手段と、
を実行させることを特徴とした、
プログラム。
【発明の詳細な説明】
【技術分野】
【０００１】
本発明は、主としてノート型パソコンの外部接続機器として使用するテンキーボードに関するものである。
【背景技術】
【０００２】
ノート型パソコンは、筐体の小型化を実現するためキーボードは最小限の配列のみに設計され、デスクトップ型パソコン用のキーボードに常備されている主として数字入力用に用いられるテンキー部分の配列は省略されている。
ノート型パソコンにおいては必要に応じて別途外部接続式のテンキーを購入して使用するのが一般的である。
【０００３】
従来のノート型パソコンに外部接続するテンキーボードは、全角又は半角の入力状態がノート型パソコンにおける全角又は半角の入力状態に従属する形式であったため、ノート型パソコンの入力状態を全角入力に選択している場合には、外部接続したテンキーボードによる数字入力の際にその都度変換作業を行なって全角・半角を確定しなければならず数字入力作業が煩雑であるという問題があった。
【発明の開示】
【発明が解決しようとする課題】
【０００４】
解決しようとする問題点は、従来のノート型パソコンに外部接続するテンキーボードは、全角又は半角の入力状態がノート型パソコンにおける全角又は半角の入力状態に従属している点にある。
【０００５】
また、従来のノート型パソコンに外部接続するテンキーボードでは、ノート型パソコンが全角入力状態となっている場合には、テンキーボードによる数字入力の都度、全角又は半角の何れかに確定する変換作業を行なわなければならず煩雑である点にある。
【課題を解決するための手段】
【０００６】
本発明は、ノート型パソコンに外部接続したテンキーボードによる文字入力方法であって、前記テンキーボードの全角又は半角の入力状態と前記ノート型パソコンの全角又は半角の入力状態との一致又は不一致を検知する第１ステップと、前記入力状態が一致する場合には前記ノート型パソコンの入力状態により文字入力し、前記入力状態が不一致である場合には、一時的に前記ノート型パソコンの入力状態を前記テンキーボードの入力状態に変更して文字入力した後、前記ノート型パソコンの入力状態を元の入力状態に復帰させる第２ステップと、を有することを特徴とした文字入力方法である。
【０００７】
また、本発明は、ノート型パソコンに外部接続するテンキーボードであって、テンキーの押し下げを検知することにより、前記テンキーボードの全角又は半角の入力状態と前記ノート型パソコンの全角又は半角の入力状態との一致又は不一致を検知する第１手段と、前記入力状態が一致する場合には前記ノート型パソコンの入力状態により文字入力し、前記入力状態が不一致である場合には、一時的に前記ノート型パソコンの入力状態を前記テンキーボードの入力状態に変更して文字入力した後、前記ノート型パソコンの入力状態を元の入力状態に復帰させる第２手段と、を有することを特徴とするテンキーボードである。
【０００８】
また、本発明は、テンキーボードの入力状体を全角又は半角の何れかの入力状態に切り換えるスイッチを有することを特徴とする前記記載のテンキーボードである。
【０００９】
また、本発明はノート型パソコンに外部接続したテンキーボードによる文字入力を実行するプログラムであって、前記テンキーボードの全角又は半角の入力状態と前記ノート型パソコンの全角又は半角の入力状態との一致又は不一致を検知する第１手段と、前記入力状態が一致する場合には前記ノート型パソコンの入力状態により文字入力し、前記入力状態が不一致である場合には、一時的に前記ノート型パソコンの入力状態を前記テンキーボードの入力状態に変更して文字入力した後、前記ノート型パソコンの入力状態を元の入力状態に復帰させる第２手段と、を実行させることを特徴としたプログラムである。
【発明の効果】
【００１０】
本発明は、ノート型パソコンに外部接続したテンキーボードによる文字入力を、ノート型パソコンにおける全角又は半角の入力状態にかかわらず、テンキーボードにおいて選択した全角又は半角の入力状態で文字入力できるという利点がある。
【発明を実施するための最良の形態】
【００１１】
本発明は、ノート型パソコン２に外部接続したテンキーボード１による文字入力方法であって、前記テンキーボード１の全角又は半角の入力状態と前記ノート型パソコン２の全角又は半角の入力状態との一致又は不一致を検知する第１ステップと、前記入力状態が一致する場合には前記ノート型パソコン２の入力状態により文字入力し、前記入力状態が不一致である場合には前記ノート型パソコン２の入力状態の情報を保存し、一時的に前記ノート型パソコン２の入力状態を前記テンキーボード１の入力状態に変更して文字入力した後、前記ノート型パソコン２の入力状態を前記保存した全角又は半角の入力状態に復帰させる第２ステップと、を有することを特徴とした文字入力方法を基本構成とし、ノート型パソコン２に外部接続したテンキーボード１による文字入力を、ノート型パソコン２における全角又は半角の入力状態にかかわらず、テンキーボード１において選択した全角又は半角の入力状態で文字入力を行なうという目的を実現したものである。
以下、本発明の実施例の説明図をもとに説明する。
図１は本発明の文字入力方法のフローチャートである。
図２はノート型パソコン２に外部接続されたテンキーボード１の説明図である。
【実施例】
【００１２】
図２に示すようにノート型パソコン２にテンキーボード１を外部接続する。
ノート型パソコン２と外部接続するテンキーボード１は、例えばＵＳＢなどの一般に規格化されたインターフェースを用いて接続する。接続方法は有線方式又は無線方式の何れであっても良い。
【００１３】
前記ノート型パソコン２には本発明の文字入力方法を実行するためのプログラムがインストールされている。なお、テンキーボード１が中央演算装置及び記憶装置を備える場合には前記文字入力方法実行プログラムをテンキーボード１にインストールしておいてもよい。
【００１４】
前記テンキーボード１には、少なくとも「０〜９」の数字が割り当てられている。
また、前記テンキーボード１は、全角又は半角のいずれかの入力状態にのみ対応するものであってもよいし、全角及び半角の入力状態の双方を備えるものであってもよい。
【００１５】
さらに、前記テンキーボード１は、全角及び半角の入力状態の双方を備えるものであって、全角又は半角の入力状態の何れか一方に固定する切換スイッチを有するものであってもよい。この場合にはテンキーボード１による文字入力状態を任意に固定することができる。
【００１６】
＜１＞第１ステップ（第１手段）
第１ステップでは、前記テンキーボード１の全角又は半角の入力状態と前記ノート型パソコン２の全角又は半角の入力状態との一致又は不一致の検知を行なう。
【００１７】
先ず、前記テンキーボード１の文字入力状態を全角又は半角の何れにするかを選択し、テンキーボード１の切換スイッチ１１を入れる。
テンキーボード１のキーを押し下げる。すると該テンキーボード１の全角又は半角の文字入力状態のコードと押し下げたキーの文字コードがノート型パソコン２に対し出力される。
文字入力方法の実行プログラムが、テンキーボード１における全角又は半角の入力状態とノート型パソコン２における全角又は半角の入力状態とが一致するか否かを検知する。
【００１８】
＜２＞第２ステップ（第２手段）
第２ステップでは、前記テンキーボード１における全角又は半角の入力状態とノート型パソコン２における全角又は半角の入力状態とが一致する場合には、前記ノート型パソコン２における全角又は半角の入力状態により文字入力がなされる。
【００１９】
一方、前記テンキーボード１における全角又は半角の入力状態とノート型パソコン２における全角又は半角の入力状態とが不一致である場合には、前記ノート型パソコン２における入力状態の情報を保存し、一時的に前記ノート型パソコン２の入力状態を前記テンキーボード１における全角又は半角の入力状態に変更する。
そして、テンキーボード１による文字入力した後、前記ノート型パソコン２の入力状態を前記保存した全角又は半角の入力状態に復帰させる。
【００２０】
本発明の文字入力方法によれば、例えば、ノート型パソコン２が全角入力状態の場合であって、外部接続したテンキーボード１を半角入力状態に設定している場合には、ノート型パソコン２において漢字変換等の作業が必要な全角ひらがな文字入力状態から使用者が変更作業を行なうことなく、テンキーボード１から入力する半角数字を入力することが可能となる。
したがって、従来のように半角文字を入力する都度にノート型パソコン２における入力状態を半角入力状態に変更する作業が不要となり、文字入力作業の大幅な省力化を実現することができる。
【図面の簡単な説明】
【００２１】
【図１】本発明の文字入力方法のフローチャート。
【図２】ノート型パソコン２に外部接続されたテンキーボード１の説明図説明図。
【符号の説明】
【００２２】
１・・・テンキーボード
１１・・切換スイッチ
２・・・ノート型パソコン
【図１】
2005085030.tif 000003
【図２】
2005085030.tif 000004